(57)【要約】【課題】現場において粉体を混合して、均一に散布でき、広い面積でも効率よく短時間に散布できる粉体混合散布装置を提供するものである。【解決手段】上部に粉体投入口１０を形成し、底部に粉体排出口１１を形成した粉体混合槽１２の内側にモ−タ１５に接続する回転軸１４を水平に取付け、この回転軸１４に帯板をらせん状に形成した大径の撹拌羽根２０Ａと、この内側に帯板をらせん状に形成した小径の撹拌羽根２０Ｂとを取付けて２重らせん羽根に形成して混合機７を形成し、前記粉体排出口１１の下部に、ベルトコンベア２６を前記回転軸１４に沿って設け、この排出側の端部に、混合粉体３５を落下させて遠心力により周囲に散布する回転円盤２８を設けて散布機８を形成し、この散布機８を不整地運搬車１の荷台２に搭載したものである。【選択図】  図２
2017042148.tif 000002
【特許請求の範囲】
【請求項１】
上部に粉体投入口を形成し、底部に粉体排出口を形成した粉体混合槽の内側に駆動源に接続する回転軸を水平に取付け、この回転軸に撹拌羽根を取付けて混合機を形成し、前記粉体排出口の下部に、ベルトコンベアを前記回転軸に沿って設け、この排出側の端部に、混合した粉体を落下させて遠心力により周囲に散布する回転円盤を設けて散布機を形成し、この散布機を不整地運搬車の荷台に搭載したことを特徴とする粉体混合散布装置。
【請求項２】
撹拌羽根が、帯板をらせん状に形成した大径の撹拌羽根と、この内側に帯板をらせん状に形成した小径の撹拌羽根との２重らせん羽根で形成されていることを特徴とする請求項１記載の粉体混合散布装置。
【請求項３】
請求項１記載の粉体混合散布装置において、更に粉体投入口に格子状のスクリーンを設けたことを特徴とする粉体混合散布装置。
【請求項４】
請求項１記載の粉体混合散布装置において、更に回転円盤の天井面と周囲を囲むカーテンを設けたことを特徴とする粉体混合散布装置。
【発明の詳細な説明】
【技術分野】
【０００１】
本発明は、粉体の混合と散布を同時に行なう粉体混合散布装置に関するものである。
【背景技術】
【０００２】
原子力発電所の事故による放射能で汚染された地域では除染作業が行なわれている。特に田や畑など農地の除染を行なう場合、先ず農地や畦畔、法面の除草作業を行ない、除草した草を袋詰めして処分場に運搬する。次いで木等の根を除去してから畦畔や法面、農地を３〜５ｃｍ削土し、これを袋詰めして仮り置き場に運搬する。次いで畦畔や法面、農地に山砂を覆土する。山砂には肥料分が含まれていないため、農地にゼオライトや熔リン、ケイ酸カリウムなどの地力回復材を散布している。                    
【０００３】
従来の散布装置としては、被散布物を投入されるホッパと、この内側に２本平行に配置した回転軸と、ここに取付けた被散布物を撹拌する撹拌羽根と、撹拌羽根の外周部から突没自在に取り付けられる複数の掻き出し材と、ホッパの底部に設けた複数個のシャッタとを備えた散布機（特許文献１）が示されている。この散布機は、ホッパ内で肥料等の被散布物を効率的に攪拌混合させながら、ホッパの内壁面と撹拌羽根との間の被散布物を掻き出し材により掻き出すのでへばりついて残留することを防ぐ効果がある。
【０００４】
しかしながら撹拌羽根を設けた２本の回転軸を併設して、それぞれの撹拌羽根に複数個の掻き出し材を取り付けるので構造が複雑で、しかも動力はトラクターの駆動機のＰＴＯ軸から取り入れるので単独では駆動できない。またホッパ排出口は、ホッパの底部に複数個開口され、ここにシャッタが取り付けられ、これを開けて落下させるだけなので、広い範囲に均一に散布することができない問題があった。
【０００５】
また別の散布装置としては、攪拌槽内に水平軸を設け、ここに半径方向に取付けた支持バーの先端に螺旋状体が支持され、この水平軸に沿ってこの上方の左右に２本の攪拌水平軸が配置され、ここに棒状の攪拌手段が螺旋状に配列されている。更に攪拌槽の底部両側には、搬送スクリューが設けられ、その先端に左端側と右端側の落下口を設けた施肥装置（特許文献２）が示されている。
【０００６】
この施肥装置はトラクターなどの自走装置に搭載して、堆肥などの肥料を粉砕しながら施肥でき、肥料を大量に処理する場合でも常に円滑・確実に攪拌粉砕しながら施肥が可能である。しかしながらこの装置もトラクター等の駆動機のＰＴＯ軸から取り入れるので単独では駆動できず、攪拌槽の底部に設けた搬送スクリューで搬送して落下口から落下させるだけなので広い範囲に均一に散布することができない問題があった。このように広い面積の農地に、大量の地力回復材を、混合して均一に散布できる装置がなく、在来の工法ではゼオライトと熔リン、ケイ酸カリウムなどを別個に散布していた。
【先行技術文献】
【特許文献】
【０００７】
【特許文献１】特開２０１４−２２３０２８号公報
【特許文献２】特開２００８−２２７３３号公報
【発明の概要】
【発明が解決しようとする課題】
【０００８】
本発明は上記問題を改善し、現場において粉体を混合して、均一に散布でき、広い面積でも効率よく短時間に散布できる粉体混合散布装置を提供するものである。
【課題を解決するための手段】
【０００９】
本発明の請求項１記載の粉体混合散布装置は、上部に粉体投入口を形成し、底部に粉体排出口を形成した粉体混合槽の内側に駆動源に接続する回転軸を水平に取付け、この回転軸に撹拌羽根を取付けて混合機を形成し、前記粉体排出口の下部に、ベルトコンベアを前記回転軸に沿って設け、この排出側の端部に、混合した粉体を落下させて遠心力により周囲に散布する回転円盤を設けて散布機を形成し、この散布機を不整地運搬車の荷台に搭載したことを特徴とするものである。
【００１０】
本発明の請求項２記載の粉体混合散布装置は、請求項１において、撹拌羽根が、帯板をらせん状に形成した大径の撹拌羽根と、この内側に帯板をらせん状に形成した小径の撹拌羽根との２重らせん羽根で形成されていることを特徴とするものである。
【００１１】
本発明の請求項３記載の粉体混合散布装置は、請求項１記載の粉体混合散布装置において、更に粉体投入口に格子状のスクリーンを設けたことを特徴とするものである。
【００１２】
本発明の請求項４記載の粉体混合散布装置は、請求項１記載の粉体混合散布装置において、更に回転円盤の天井面と周囲を囲むカーテンを設けたことを特徴とするものである。
【発明の効果】
【００１３】
本発明に係る請求項１記載の粉体混合散布装置によれば、施工現場で混合して広い面積の農地に、大量の混合粉体を均一に散布することができる。更に本発明は現場での混合なので作業性が向上すると共に、空袋の確認も容易で設計通りの散布を行なうことができる。
【００１４】
また請求項２記載の粉体混合散布装置によれば、小径の撹拌羽根は粉体を外側に撹拌し、大径の撹拌羽根は粉体を内側に向かって撹拌するようになっているので、全体に均一に撹拌することができる。
【００１５】
また請求項３記載の粉体混合散布装置によれば、粉体投入口に格子状のスクリーンが設けられているので手で均しながら塊を細かくして粉体混合槽に投入することができる。
【００１６】
また請求項４記載の粉体混合散布装置によれば、回転円盤の天井面と周囲を囲むカーテンを設けたので外部に飛散せず、散布面積がカーテン内に限られながら順次移動していくので均一に散布することができる。
【図面の簡単な説明】
【００１７】
【図１】本発明の実施の一形態による粉体混合散布装置を搭載した不整地運搬車の側面図である。
【図２】粉体混合散布装置の平面図である。
【図３】粉体混合散布装置の側面図である。
【図４】粉体混合散布装置の背面図である。
【発明を実施するための最良の形態】
【００１８】
以下本発明の実施の一形態を図１ないし図４を参照して詳細に説明する。図において１はクローラー型の不整地運搬車で、この荷台２に粉体混合散布装置３が搭載されている。４は発電機、５はカーテンである。前記粉体混合散布装置３は図２、図３に示すように、混合機７と散布機８とで一体に構成されている。
【００１９】
混合機７は上部に粉体投入口１０を形成し、底部に粉体排出口１１を形成した粉体混合槽１２の内側に、回転軸１４が水平に取付けられ、この回転軸１４の一端は駆動源となるモ−タ１５にスプロケット１６とチェーン１７で連結されて回転駆動するようになっている。
【００２０】
回転軸１４には、帯板をらせん状に形成した大径の撹拌羽根２０Ａと、この内側に帯板をらせん状に形成した小径の撹拌羽根２０Ｂとが支持棒２１に支持されて２重らせん羽根に形成されている。小径の撹拌羽根２０Ｂは粉体を外側に撹拌し、大径の撹拌羽根２０Ａは粉体を内側に向かって撹拌するように羽根が形成されている。また粉体混合槽１２の粉体投入口１０には格子状のスクリーン２３が取付けられている。
【００２１】
また混合機７の粉体排出口１１の下部に設けられた散布機８は図３に示すように、前記回転軸１４に沿って設けられたベルトコンベア２５と、この排出側の端部に設けたゲート２６と、シュータ２７を介して設けた回転円盤２８とから構成されている。前記ベルトコンベア２５は、エンジン２９で駆動する油圧ポンプ３０に接続する油圧モ−タにより回転し、またゲート２６は油圧シリンダ３２により昇降して、ベルトコンベア２５の搬送路を搬送される混合粉体３５の散布量を調整するようになっている。
【００２２】
またベルトコンベア２５の排出側の端部に取付けたシュータ２７は、モータ３３で回転する回転円盤２８の上に設けられ、この回転により落下してきた混合粉体３５を遠心力により周囲に散布するようになっている。
【００２３】
また前記回転円盤２８の天井面と周囲を囲むようにカーテン取付けフレーム３６が設けられ、ここに下端を開口したカーテン５が取付けられ、天井面と周囲を囲むようになっている。なお図において３９は、混合機７の左右に設けられた作業ステップ、４０はこれを囲む手摺、４１は制御盤である。
【００２４】
次に本発明の粉体混合散布装置３を用いて地力回復材を散布する場合について説明する。畦畔や法面、農地の表面の３〜５ｃｍを削土してから、農地に山砂４３を覆土する。この後、農地にゼオライトや熔リン、ケイ酸カリウムなどの地力回復材を散布する。先ず不整地運搬車１を、山砂を覆土した畦畔近くの農地４４に搬入する。次にトラックで搬送されてきた袋詰めされた地力回復材をフレコンパックに袋詰めする。
【００２５】
この時の配合割合は農地１０００平方メートル当り、例えば放射性物質の吸着性に優れ、肥料の保持効果の高いゼオライト１０００Ｋｇに対して、熔リン１００Ｋｇ、ケイ酸カリウム８０Ｋｇの割合で散布する。先ず作業ステップ３９に作業員が乗り、フレコンパックに袋詰めされた地力回復材をクレーンで吊り上げてフレコンパックの底を開いて、混合機７の粉体投入口１０から内部に投入する。この時、図２に示すように粉体投入口１０には格子スクリーン２３が設けられているので、手で均しながら塊を細かくして粉体混合槽１２に投入する。この後、スクリーン２３の上に図示しない透明なプラスチック蓋を被せて粉体の飛散を防止する。
【００２６】
またこの時、ベルトコンベア２５は停止させた状態で、発電機４からの電力でモ−タ１５を駆動させて撹拌羽根２０Ａ、２０Ｂを回転させ、地力回復材を混合させる。またベルトコンベア２５は停止させておく。この撹拌工程において小径の撹拌羽根２０Ｂは粉体を外側に撹拌し、大径の撹拌羽根２０Ａは粉体を内側に向かって撹拌するようになっているので、全隊に均一に撹拌される。
【００２７】
この後、図１に示すように山砂４３を均一に覆土した農地４４を不整地運搬車１がベルトコンベア２５を回転させながら走行する。混合機７内の撹拌された混合粉体３５は、粉体排出口１１からベルトコンベア２５の上に落下し、ここから後方に向って搬送され、途中でゲート２６により搬送量が調整されて、シュータ２７から回転円盤２８に落下する。回転円盤２８はモータ３３により回転しているので、この上に落下した混合粉体３５は遠心力により横方向に噴射され、混合粉体３５はカーテン５に当って農地４４に落下する。このようにして混合粉体３５を散布したら、引き続きトラクターで耕起し、散布した混合粉体３５が飛散しないうちに山砂４３やこの下の土と混合する。
【００２８】
この１回目の耕起が終わったら  図示しないストーンピッカーで農地４４の石を拾った後、バツクホウなどにより畦畔や法面を修復する。この後、トラクターで２回目の耕起をバーチカル耕転して工事を完了する。
【実施例】
【００２９】
本発明の粉体混合散布装置３を搭載した不整地運搬車１で地力回復材を散布した結果、混合機７の容量は２立方メートルで１回の混合粉体３５の散布量を８１８Ｋｇとし、サイクルタイムは約３０分、１日当り１１回行なって、１日の総散布量８９９８Ｋｇ、総散布面積８５００平方メートルであった。
【００３０】
これに対して、ゼオライトと熔リン、ケイ酸カリウムを散布機で別個に散布する在来工法では、サイクルタイムは約４０分で、１日の散布回数は約８回で、１日の総散布量１６００Ｋｇであり、本発明は５．６倍作業性が向上した。また別の作業場で予め混合してから現場に搬入して散布する方法では、散布量や混合割合の確認ができないが、本発明は現場での混合なので、空袋の確認も容易で設計通りの散布を行なうことができる。
【００３１】
なお上記説明では不整地運搬車１としてクローラタイプのものを用いた場合について説明したが、タイヤ走行タイプのものでも良い。また上記説明では地力回復材として、ゼオライトと熔リン、ケイ酸カリウムを用いた場合について示したが、他の土壌改良材や肥料でも良い。また本発明は地力回復材の散布だけではなく、農業や土木など他の分野において粉体を混合して散布する分野に広く応用することができる。
【符号の説明】
【００３２】
１    不整地運搬車                                          
２    荷台
３    粉体混合散布装置    
４    発電機    
５    カーテン      
７    混合機      
８    散布機    
１０  粉体投入口    
１１  粉体排出口  
１２  粉体混合槽      
１４  回転軸      
１５  モ−タ    
１６  スプロケット    
１７  チェーン    
２０Ａ、２０Ｂ  撹拌羽根
２１  支持棒            
２３  スクリーン    
２５  ベルトコンベア    
２６  ゲート      
２７  シュータ      
２８  回転円盤    
２９  エンジン                                              
３０  油圧ポンプ      
３２  油圧シリンダ      
３３  モータ      
３５  混合粉体    
３６  カーテン取付けフレーム  
３９  作業ステップ      
４０  手摺      
４１  制御盤    
４３  山砂  
４４  農地
【図１】
2017042148.tif 000003
【図２】
2017042148.tif 000004
【図３】
2017042148.tif 000005
【図４】
2017042148.tif 000006